(57)【要約】【課題】特殊形状の被印刷物への印刷を想定した撮影をおこなう際、撮影時には表示画面上に被写体像に重畳させて被印刷物の形状等を表わすテンプレート画像を表示させて、特殊形状の被印刷物の形状に適した印刷範囲の設定等を同撮影時に確実におこなうことができ、所望の印刷用画像データを容易に得られるカメラ及びこのカメラの撮影制御方法を提供する。【解決手段】画像を表示する画像表示部１８と、特殊形状の被印刷物の形状に対応する印刷用画像を撮影するためのテンプレート画像を記憶する記憶部２１と、撮影に際してテンプレート画像を被写体像に重畳させて画像表示部に表示させるテンプレート制御表示部１０，１４と、表示中のテンプレート画像に関する情報を撮影画像に対応付けて当該撮影画像と共に記録媒体１９に記録させる記録部１０とを具備してなる。【選択図】図１
2006345322.tif 000002
【特許請求の範囲】
【請求項１】
画像を表示する画像表示部と、
特殊形状の被印刷物の形状に対応する印刷用画像を撮影するためのテンプレート画像を記憶する記憶部と、
撮影に際して上記テンプレート画像を被写体像に重畳させて上記画像表示部に表示させるテンプレート制御表示部と、
表示中のテンプレート画像に関する情報を撮影画像に対応付けて当該撮影画像と共に記録媒体に記録させる記録部と、
を具備してなることを特徴とするカメラ。
【請求項２】
上記被印刷物は、片側の非記録面を印刷面とする円板形状の情報記録媒体であって、
上記テンプレート画像は、上記情報記録媒体の円板形状によって主に規定される印刷範囲を示す画像であることを特徴とする請求項１に記載のカメラ。
【請求項３】
上記円板形状の情報記録媒体の種類を指定する指定部を、さらに有してなることを特徴とする請求項２に記載のカメラ。
【請求項４】
上記テンプレート画像には、さらに被写体画像に重畳して印刷される附加画像が含まれることを特徴とする請求項１に記載のカメラ。
【請求項５】
画像を表示する画像表示部と、
特殊形状の被印刷物の形状に対応する印刷用画像を撮影するためのテンプレート画像を記憶する記憶部と、
上記テンプレート画像を被写体像に重畳させて上記画像表示部に表示させるテンプレート制御表示部と、
撮影された画像に対しテンプレート情報に基づく印刷範囲の画像領域のみを抽出して印刷用画像を作成する印刷用画像作成部と、
上記印刷用画像作成部によって作成された印刷用画像を記録媒体に記録させる記録部と、
を具備してなることを特徴とするカメラ。
【請求項６】
上記記録部は、上記印刷用画像と共に撮影された画像を記録媒体に記録することを特徴とする請求項５に記載のカメラ。
【請求項７】
上記テンプレート画像には、さらに被写体画像に重畳して印刷される附加画像が含まれ、
上記印刷用画像作成部は、被写体画像に附加画像を重畳させた形態の印刷画像を作成することを特徴とする請求項５に記載のカメラ。
【請求項８】
カメラの撮影制御方法において、
特殊形状の被印刷物の形状に対応する印刷用画像を撮影するためのテンプレート画像であって、記憶部に記憶されているテンプレート画像を被写体像に重畳させて画像表示部に表示させ、
表示中のテンプレート画像に関する情報を撮影された画像に対応付けて撮影された画像と共に記録媒体に記録することを特徴とするカメラの撮影制御方法。
【請求項９】
カメラの撮影制御方法をコンピュータに実行させるためのプログラムにおいて、
特殊形状の被印刷物の形状に対応する印刷用画像を撮影するためのテンプレート画像であって、記憶部に記憶されている上記テンプレート画像を被写体像に重畳させて画像表示部に表示させ、
表示中のテンプレート画像に関する情報を撮影された画像に対応付けて撮影された画像と共に記録媒体に記録することを特徴とするカメラの撮影制御方法をコンピュータに実行させるためのプログラム。
【請求項１０】
カメラの撮影制御方法をコンピュータに実行させるためのプログラムを格納するコンピュータ読み取り可能な記録媒体において、
特殊形状の被印刷物の形状に対応する印刷用画像を撮影するためのテンプレート画像であって、記憶部に記憶されている上記テンプレート画像を被写体像に重畳させて画像表示部に表示させ、
表示中のテンプレート画像に関する情報を撮影された画像に対応付けて撮影された画像と共に記録媒体に記録することを特徴とするカメラの撮影制御方法をコンピュータに実行させるためのプログラムを格納するコンピュータ読み取り可能な記録媒体。
【発明の詳細な説明】
【技術分野】
【０００１】
この発明は、カメラ及びこのカメラの撮影制御方法、詳しくは撮影時に撮影画像に基づく印刷用画像データを作成し得るようにしたカメラ及びカメラの撮影制御方法に関するものである。
【背景技術】
【０００２】
近年、例えばデジタルカメラ等（以下、単にカメラという）によって撮影され記録される画像データに基づいて画像の印刷（プリント）をおこなうプリンタ装置が広く普及している。また、従来のプリンタ装置においては、画像をプリント用紙に印刷するだけでなく、例えばＣＤ媒体やＤＶＤ媒体等（以下、単にＣＤ媒体等という）の非情報記録面（ラベル面）に対して印刷できるようにしたものがある。
【０００３】
このような従来のプリンタ装置を用いてＣＤ媒体等のラベル面への印刷をおこなう際には、このプリンタ装置が接続される制御用のコンピュータに予め印刷用アプリケーションソフトを導入しておき、この印刷用アプリケーションソフトを実行させることにより、プリンタ装置の制御をおこなうのが普通である。
【０００４】
この場合において、印刷用アプリケーションソフトは、例えばカメラによって撮影された画像データに基づく画像を表示画面上に表示させると共に、当該画像に重畳させて、印刷範囲を示す形状からなる各種のテンプレート画像のうち所望の被印刷物、例えばＣＤ媒体等の外形形状に相当するテンプレート画像を表示させる。使用者は、この表示画面を見ながら、印刷範囲や印刷位置や印刷サイズ等の印刷条件を決定する。
【０００５】
そして、使用者によって印刷指示が出されると、印刷用アプリケーションソフトは、使用者が設定した印刷条件に応じて印刷画像データを作成し、この印刷画像データをプリンタ装置へと出力する。
【０００６】
プリンタ装置は、これを受けて当該印刷画像データに基づいて印刷用データ、例えばＹＭＣＫデータ等を作成し、この印刷用データに基づいて各色のインク吐出装置を制御し印刷動作を実行する。このようにして、ＣＤ媒体等の特殊形状の被印刷物に対する画像の印刷がおこなわれる。
【０００７】
例えば特開２００４−１２２５８３号公報によって開示されているプリンタ装置は、カメラによって取得した画像を用い、この画像の一部をＣＤ媒体等の電子情報を記録する記録媒体のラベル面へと印刷し得るように構成したものであって、被印刷物となるＣＤ媒体等の外径寸法や内径寸法や中心位置等の情報を取得し、これらの情報に基づいて印刷可能領域を特定するように構成している。これによれば、当該プリンタ装置は、印刷すべき印刷領域を正確に特定することにより、印刷精度の向上に寄与することができるというものである。
【０００８】
一方、撮影時の撮影支援や撮影後の画像合成処理をおこなう際に、予め用意される定型の画像等のテンプレート画像を利用する提案については、例えば特開２０００−２１６９８９号公報等によって、従来より種々なされている。
【０００９】
上記特開２０００−２１６９８９号公報によって開示されているカメラは、例えば用意された披露宴写真用のテンプレート画像に各列席者を撮影した画像とその列席者の氏名等の情報や予め用意しておいたコメント文章等を所定の部位に配置した形態の合成画像データを作成し、これを印刷することで披露宴配布用プリントを簡単に作成することができるというものである。
【特許文献１】特開２００４−１２２５８３号公報
【特許文献２】特開２０００−２１６９８９号公報
【発明の開示】
【発明が解決しようとする課題】
【００１０】
ところが、従来のプリンタ装置を用いてＣＤ媒体等への印刷をおこなう際には、まずカメラ等によって撮影され取得された画像データを用意して、この画像データに基づいて表示される画像から印刷する際のサイズ情報や位置情報等を設定するようにしている。そうして設定された情報に基づいて画像の所定の領域がＣＤ媒体等のラベル面に印刷されるような手順となっているものが一般である。
【００１１】
しかしながら、ＣＤ媒体等の特殊形状の被印刷物における印刷範囲は、通常のカメラによって得られる画像形状（長方形状）とは大きく異なるものである。例えば通常のＣＤ媒体等は、外形形状が円形（外径約１２ｃｍ又は８ｃｍ）で、その中央部分に小孔１５０ｂ（直径約１５ｍｍ）を有して形成されるドーナツ状の板状部材によって形成されている（図２５参照）。この場合において、ＣＤ媒体の印刷可能範囲は、例えば外周縁部近傍の部位（直径約１２０ｍｍ以下）から小孔の周縁部近傍の所定の部位（直径約１５ｍｍ以上）までの範囲となる。
【００１２】
このことから、被印刷物としてのＣＤ媒体等を意識せずに撮影動作がおこなわれた場合に得られる通常の（長方形状の）撮影画像からＣＤ媒体等に対応するドーナツ状の印刷範囲を適切に指定して、その印刷画像を作成することは容易なことではないと考えられる。
【００１３】
ここで、図２４は従来のカメラによって撮影された画像に基づいてＣＤ媒体等に印刷するのに際し、その印刷範囲を表わすテンプレート画像の例を示す図である。また、図２５は、図２４のテンプレート画像によって指定された印刷範囲を印刷したＣＤ媒体の印刷面の例を示す図である。
【００１４】
従来のカメラ等によって撮影をおこなう場合において、例えば図２４に示すように複数の人物を含み背景に建物等を配した構図で撮影をおこなう場合を考えてみる。
【００１５】
このような構図による撮影をおこなうのに際しては、通常の場合、主要被写体となる人物を撮影範囲枠の略中央寄りに配し、かつ背景の建物等の配置のバランスをも考慮して撮影がおこなわれる。このような撮影をおこなう場合、被印刷物としてのＣＤ媒体等を意識せずに構図の決定がなされるのが普通である。
【００１６】
ここで得られた画像１６０（図２４参照）に基づいてＣＤ媒体１５０（図２５参照）への印刷をおこなう場合には、図２４に示すように印刷範囲を指定することになる。この場合においては、まず、画像１６０をコンピュータ等の表示画面１１８ａ上に表示させ、これに対してＣＤ媒体等の外形形状に相当する印刷範囲を表わすテンプレート画像１５１ａを重畳させて表示させる。
【００１７】
このとき、図２４に示すように画像１６０の略中央部分に印刷範囲を表わすテンプレート画像１５１ａを置くとすると、画面の略中央部分に配される人物の顔がＣＤ媒体１５０の小孔１５０ｂ（図２５）に相当する小孔領域１５１ｂ（図２４）にかかってしまうことになる。この小孔領域１５１ｂの内側部分は、図２５に示すように実際には印刷されない部分である。
【００１８】
このようなことを避けるために、例えば撮影時にＣＤ媒体等の特殊形状の被印刷物に対する印刷を考慮して撮影をおこなうにしても、特殊な形状の印刷範囲や、小孔部分等を含む印刷範囲をカメラのファインダー内でガイド無しに想定しつつ、撮影画像の構図をも考慮しながら撮影することは到底困難なことである。
【００１９】
なお、上記特開２００４−１２２５８３号公報や上記特開２０００−２１６９８９号公報等によって開示されている技術は、いずれも画像処理については、例えばパーソナルコンピュータ等を利用しておこなわれるものであり、そのシステムは大規模なものとなってしまうと共に、その操作が煩雑なものである。
【００２０】
本発明は、上述した点に鑑みてなされたものであって、その目的とするところは、ＣＤ媒体やＤＶＤ媒体等の特殊形状の被印刷物に対して印刷することを想定した撮影をおこなうのに際し、その撮影時において、表示画面上に被写体像に重畳させて被印刷物の形状等を表わすテンプレート画像を表示させることで、特殊形状の被印刷物の形状に適した印刷範囲の設定等を同撮影時に確実におこなうことができ、よって所望の印刷用画像データを容易に得ることができるカメラ及びこのカメラの撮影制御方法を提供することである。
【課題を解決するための手段】
【００２１】
上記目的を達成するために、本発明によるカメラは、画像を表示する画像表示部と、特殊形状の被印刷物の形状に対応する印刷用画像を撮影するためのテンプレート画像を記憶する記憶部と、撮影に際して上記テンプレート画像を被写体像に重畳させて上記画像表示部に表示させるテンプレート制御表示部と、表示中のテンプレート画像に関する情報を撮影画像に対応付けて当該撮影画像と共に記録媒体に記録させる記録部とを具備してなることを特徴とする。
【発明の効果】
【００２２】
本発明によれば、ＣＤ媒体やＤＶＤ媒体等の特殊形状の被印刷物に対して印刷することを想定した撮影をおこなうのに際し、その撮影時において、表示画面上に被写体像に重畳させて被印刷物の形状等を表わすテンプレート画像を表示させることで、特殊形状の被印刷物の形状に適した印刷範囲の設定等を同撮影時に確実におこなうことができ、よって所望の印刷用画像データを容易に得られるカメラ及びこのカメラの撮影制御方法を提供することができる。
【発明を実施するための最良の形態】
【００２３】
以下、図示の実施の形態によって本発明を説明する。  
図１及び図２は、本発明の一実施形態のカメラの構成を示す図である。このうち、図１は、カメラの内部構成を示すブロック構成図である。また、図２は、カメラの背面側の外観を示す背面図である。
【００２４】
本実施形態のカメラ１は、図１に示すように本カメラ１の動作を全体的に制御する制御部であるＣＰＵ１０と、光学レンズ等によって構成される撮影レンズ１１と、この撮影レンズ１１によって形成される光学的な被写体像を受けて電子的な画像データを生成する処理（光電変換処理）をおこなうＣＣＤ等の撮像素子１２と、この撮像素子１２によって生成された画像信号を受けて所定の信号処理を行ないデジタル画像信号を出力する撮像部１３と、この撮像部１３から出力されるデジタル画像信号を受けて例えば表示用画像信号や記録用画像データや再生用の画像信号を生成する等、各種の画像信号処理（ＷＢ調整処理やγ補正処理や圧縮伸張処理や画像合成処理等等）をおこなう画像処理部１４と、この画像処理部１４からの出力を一時的に記憶するバッファー用ＤＲＡＭ（ディーラム）１６と、画像や本カメラ１の各種の設定画面（メニュー画面等）等を表示する液晶表示装置（ＬＣＤ）等からなる画像表示部（以下、単に表示部という）１８と、この表示部１８の駆動制御をおこなう表示制御部１７と、上記画像処理部１４により生成された記録用の画像信号を画像データとして記憶する画像メモリ１９と、本カメラ１に設けられる各種の操作部材である操作部２０と、各種のプログラム及び印刷用のテンプレート画像データ等を予め記憶する記憶部であるロム（ＲＯＭ）２１と、本カメラ１とは別体に構成される外部装置としてのプリンタ装置３１やコンピュータ（ＰＣ）３２等との間に介在し両者の電気的な接続をＵＳＢ接続やパラレル接続等によって確立するインターフェース（ＩＦ）１５等によって主に構成されている。
【００２５】
本実施形態においては、プリント装置にて印刷動作をするのに用いる印刷用の画像データを作成する制御について考慮したものである。その際の被印刷物としては、主に片側の非記録面（ラベル面）を印刷面とする円板形状の情報記録媒体であって、例えばＣＤ媒体やＤＶＤ媒体等を考慮している。また、上述のテンプレート画像（データ）とは、ＣＤ媒体等の情報記録媒体の円板形状によって主に規定される印刷範囲を示す画像のことをいうものとする。
【００２６】
また、本実施形態のカメラ１の背面側には、図２に示すように表示部１８の表示画面が外部に向けて配設されている。この表示部１８の近傍には、操作部２０を構成する複数の操作部材４２〜４４が各所定の部位に配設されている。このうちＴＷボタン４２は、撮影動作時には撮影レンズ１１の変倍動作のための指示操作をおこなう操作部材である。また、同ＴＷボタン４２は、再生動作時には表示部１８に表示中の画像（被写体像）の拡大表示や縮小表示のための指示操作をおこなう操作部材である。
【００２７】
ＸＹ操作ボタン４３は複数の押しボタン部材からなり、表示部１８の画面上において上方向への指示をおこなう上向ボタン４３ａと、同画面上において下方向への指示をおこなう下向ボタン４３ｂと、同画面上において画面に向かって左方向への指示をおこなう左向ボタン４３ｃと、同画面上において画面に向かって右方向への指示をおこなう右向ボタン４３ｄと、選択した設定を決定するためのＯＫボタン４４等によって主に構成されている。
【００２８】
このＸＹ操作ボタン４３は、撮影動作に先立っておこなう撮影条件の設定のためのメニュー画面内において指示操作をおこなう操作部材である。また、同ＸＹ操作ボタン４３は、撮影動作時には、表示部１８に表示されるテンプレート画像の位置指定操作をおこなう操作部材である。また、再生動作時には表示部１８に表示される画像の選択操作や拡大表示時の表示位置指定操作をおこなう操作部材である。
【００２９】
一方、カメラ１の上面には、図２に示すように同カメラ１の背面側から見て右端寄りの所定の部位に操作部２０のうち撮影動作を実行する指示操作をおこなうシャッターレリースボタン４１が配設されている。
【００３０】
このように構成される本実施形態のカメラ１における作用のうち、ＣＤ媒体等の印刷用画像データを取得する撮影動作時の「メディア印刷モード」の作用と、この撮影動作によって得られる画像データに基づいておこなわれる印刷動作時の「ダイレクトプリントモード」の作用について、図３〜図１５を用いて以下に説明する。
【００３１】
図３は、本実施形態のカメラにおいて「メディア印刷モード」で撮影動作をおこなう際の処理シーケンスを示すフローチャートである。図４は、図３の「メディア印刷モード」における「テンプレートＡ」処理のサブルーチンを示すフローチャートである。図５は、図３の「メディア印刷モード」における「テンプレートＢ」処理のサブルーチンを示すフローチャートである。図６は、図３の「メディア印刷モード」における「保存記録」処理のサブルーチンを示すフローチャートである。図７は、本実施形態のカメラの「メディア印刷モード」で得られた画像データに基づいて「ダイレクトプリントモード」で印刷動作をおこなう際の処理シーケンスを示すフローチャートである。
【００３２】
まず、本実施形態のカメラ１の電源状態がオン状態となっており、かつ当該カメラ１の動作モードが撮影動作モードに設定されている状態にあるものとする。この状態において、使用者は、所定の操作をおこなって表示部１８に設定メニュー画面を表示させ、ここで、所望の撮影動作モードを任意に選択する。
【００３３】
図３に示すステップＳ１において、カメラ１のＣＰＵ１０は、設定済みの各種設定項目の確認をおこなう。ここで、撮影動作モードが「メディア印刷モード」に設定されているか否かの確認がおこなわれ、「メディア印刷モード」に設定されていない場合には、ステップＳ２の処理に進み、このステップＳ２において、例えば「通常撮影モード」の処理を実行する。なお、「通常撮影モード」の処理については本発明に直接関連しない部分であるので、その詳細説明を省略する。
【００３４】
一方、上述のステップＳ１において、カメラ１の撮影動作モードが「メディア印刷モード」に設定されていることを、ＣＰＵ１０によって確認されると、次のステップＳ３の処理に進む。
【００３５】
ステップＳ３において、使用者は、複数用意されているテンプレートの種類のうち所望のテンプレートの選択設定をおこなう。ここで、テンプレートの種類としては、例えば「１２ｃｍＣＤ／ＤＶＤ」や「８ｃｍＣＤ／ＤＶＤ」というようなメディアサイズの選択や、後述する印刷パターンの違いによるテンプレートＡやテンプレートＢ等がある。これら複数のテンプレート種類に関するデータは、カメラ１のＲＯＭ２１に予め記憶させておいたり、またあるいは、カメラ１に対して着脱自在に設けられる記録媒体である画像メモリ１９の内部の所定領域に予め記憶されているデータ等である。
【００３６】
ここでおこなわれるテンプレートの選択設定の処理は、例えば使用者が操作部２０の所定の操作部材を操作することによって、所望のテンプレートを選択指定する指示操作をおこなうと、その指示信号を受けたＣＰＵ１０が指定されたテンプレートの設定をおこなう処理である。そして、このテンプレートの選択設定の処理が終わったら、次のステップＳ４の処理に進む。
【００３７】
ステップＳ４において、カメラ１のＣＰＵ１０は、上述のステップＳ３の処理において使用者によって選択されたテンプレートがテンプレートＡであるか否かの確認をおこなう。ここで、テンプレートＡが選択された場合には、次のステップＳ５の処理に進む。
【００３８】
一方、テンプレートＡではなくテンプレートＢが選択された場合には、次のステップＳ６の処理に進む。
【００３９】
ステップＳ５においては、カメラ１のＣＰＵ１０は「テンプレートＡ」処理による撮影動作を実行する。その後、次のステップＳ７の処理に進む。
【００４０】
一方、ステップＳ６においては、カメラ１のＣＰＵ１０は「テンプレートＢ」処理による撮影動作を実行する。その後、次のステップＳ７の処理に進む。
【００４１】
続いて、ステップＳ７において、カメラ１のＣＰＵ１０は、記録媒体としての画像メモリ１９に対して取得した画像データを保存記録する「保存記録」処理を実行する。そして、一連の処理を終了する（エンド）。
【００４２】
次に、上述の「メディア印刷モード」による処理のうち「テンプレートＡ」処理について、図４のフローチャートを用いて詳述する。
【００４３】
ここで、「テンプレートＡ」画像は、表示部１８の表示画面上に表示されるモニター画像の上に、例えば図８の点線で示す符号５１ａ，５１ｂにて表わされている。つまり、この「テンプレートＡ」画像は、印刷媒体としてのＣＤ媒体５０（図１０参照）に相似した形状であって、ＣＤ媒体５０の外径に相当する符号５１ａと、全体が円形状からなり略中央部分に小孔６１ｂに相当する小孔領域５１ｂを有して構成されるドーナツ状のＣＤ媒体に一枚の撮影画像を対応させるテンプレートである。
【００４４】
図４のフローチャートによって示す「テンプレートＡ」処理は、上記「テンプレートＡ」画像によって規定される領域内に撮影画像の一部を取り込んだ形態の画像データを作成する処理である。この場合において、小孔領域５１ｂの内側部分の画像は削除された形態となる。
【００４５】
図４の「テンプレートＡ」処理が実行されると、ステップＳ１１において、カメラ１のＣＰＵ１０は、表示部１８の表示画面上に表示される被写体像の画像（スルー画像）に対して「テンプレートＡ」画像を重畳表示させた形態のテンプレート附きモニター画像（図８参照）を表示させる。
【００４６】
ここで、表示部１８に表示されるテンプレート附きモニター画像は、次のように形成される。すなわち、ＣＰＵ１０は、上述した図３のステップＳ３の処理にて選択設定されたテンプレート画像データ等を読み出して画像処理部１４へと受け渡す。この画像処理部１４は、ＲＯＭ１１からのテンプレート画像データと、撮像部１３からのデジタル画像信号とを受けて重畳処理等の所定の信号処理をおこなって、表示用のテンプレート附きモニター画像を表わす画像データを作成し、これを、表示制御部１７を介して表示部１８へと出力する。この画像データを受けて表示部１８は、テンプレート附きモニター画像を表示する。
【００４７】
このように、ＣＰＵ１０は、使用者が指定したテンプレート画像を表示部１８に表示中の被写体像に重畳させて表示させるテンプレート制御表示部としての役目をしている。
【００４８】
また、画像処理部１４は、撮影された画像に対してテンプレート情報に基づく印刷範囲の画像領域のみを抽出することで印刷用画像を作成する印刷用画像作成部としての役目をしている。
【００４９】
次いで、ステップＳ１２において、カメラ１のＣＰＵ１０は、操作部２０のうちシャッターレリースボタン４１からの指示信号の確認をおこなう。ここで、ＣＰＵ１０は、シャッターレリースボタン４１の指示信号を待って、同信号が確認されると、次のステップＳ１３の処理に進む。
【００５０】
ステップＳ１３において、カメラ１のＣＰＵ１０は、通常の撮影動作処理を実行し、「オリジナル画像」６０（図８参照）を表わす画像データを取得する。その後、ステップＳ１４の処理に進む。ここで、「オリジナル画像」とは、カメラ１における通常の撮影動作によって得られる画像をいう。
【００５１】
続いて、ステップＳ１４において、画像処理部１４は、上述のステップＳ１３にて取得した「オリジナル画像」とＲＯＭ２１から読み込み済みのテンプレート画像データとを受けて「印刷予想画像」を表わす画像データの作成をおこなう。これと同時に、生成した印刷予想画像データに基づいて表示用のデータを生成し、これを表示制御部１７を介して出力する。これにより、表示部１８には、図９に示すような「印刷予想画像」が表示される。なお、ここで作成された「印刷予想画像」データは、バッファー用ＤＲＡＭ１６に一時的に記憶される。その後、ステップＳ１５の処理に進む。
【００５２】
ステップＳ１５において、カメラ１のＣＰＵ１０は、操作部２０のうちＯＫボタン４４からの指示信号が所定時間内に生じているか否かの確認をおこなう。
【００５３】
上述のステップＳ１４において、表示部１８に「印刷予想画像」が表示されると、使用者は、そのモニター画像を確認する。ここで、表示中の画像の状態でよければＯＫボタン４４を押す。これにより、カメラ１のＣＰＵ１０は、ステップＳ１５において、ＯＫボタン４４からの指示信号を確認する。これを受けてＣＰＵ１０は、表示部１８にて表示中の「印刷予想画像」についての画像データを保存すべく、図３のステップＳ７の「保存記録」処理に進む（リターン）。
【００５４】
一方、ステップＳ１５において、カメラ１のＣＰＵ１０によってＯＫボタン４４からの指示信号が確認されない状態のまま所定時間経過した場合には、表示部１８に表示される「印刷予想画像」を確認した使用者が表示中の画像を破棄して撮影をやり直すものと判断し、上述のステップＳ１１の処理に戻る。そして、ＣＰＵ１０は以降の処理を繰り返す。
【００５５】
次に、上述の「メディア印刷モード」による処理のうち「テンプレートＢ」処理について、図５のフローチャートを用いて詳述する。
【００５６】
ここで、「テンプレートＢ」画像は、例えば図１１の点線で示す符号５１Ａａにて表わしている。つまり、この「テンプレートＢ」画像は、印刷媒体としてのＣＤ媒体５０Ａ（図１５参照）に相似した円形状からなり略中央部分に小孔領域５１ｂを有するドーナツ状であって、かつ円形を二分割した左半部と右半部とにそれぞれ異なる画像（当然同一画像でも可）の一部を取り込み得るように構成されるＣＤ媒体対応テンプレートである。さらに、予め用意されるメッセージ文５１ｃや日時５１ｄ等からなるテンプレート附加画像（以下、単に附加画像という）をも重畳した形態の画像データを作成することができるようになっている。
【００５７】
図５のフローチャートによって示す「テンプレートＢ」処理は、上記「テンプレートＢ」画像によって規定される左半部の領域及び右半部の領域内のそれぞれに二つの撮影画像の一部をそれぞれ取り込み（図１２の符号６１Ａａ及び図１３の符号６１Ａｂ参照）、かつメッセージ文５１ｃや日時情報５１ｄ等の附加画像を重畳した形態の画像データを作成する処理である。この場合においても、小孔領域５１ｂの内側部分の画像は削除された形態となる。
【００５８】
図４の「テンプレートＢ」処理が実行されると、ステップＳ２１において、使用者によって「テキスト選択」、例えば「Ｈａｐｐｙ  Ｂｉｒｔｈｄａｙ」や「年月日情報」等のテキストが選択されると、ステップＳ２２の処理が実行される。このステップＳ２２の処理は、使用者が操作部２０の所定の操作部材を操作することにより生じた選択の指示信号を受けて、カメラ１のＣＰＵ１０がＲＯＭ２１から指定されたテンプレート画像のデータ、例えば「Ｈａｐｐｙ  Ｂｉｒｔｈｄａｙ」や「年月日情報」等のテキスト情報等を読み込む処理である。
【００５９】
さらにステップＳ２２において、カメラ１のＣＰＵ１０は、表示部１８の表示画面上に表示される図１１のモニター画像６０Ａに対して「テンプレートＢ」画像を重畳表示させた形態のテンプレート附きモニター画像（図１１参照）を表示させる。このステップＳ２２にておこなわれる処理は、上述の図４のステップＳ１１の処理と略同様である。
【００６０】
次いで、ステップＳ２３において、カメラ１のＣＰＵ１０は、操作部２０のうちシャッターレリースボタン４１からの指示信号の確認をおこなう。ここで、ＣＰＵ１０は、シャッターレリースボタン４１の指示信号を待って、同信号が確認されると、次のステップＳ２４の処理に進む。この処理は、上述の図４のステップＳ１２の処理と略同様である。
【００６１】
ステップＳ２４において、カメラ１のＣＰＵ１０は、通常の撮影動作処理を実行し、一枚目の「オリジナル画像」を表わす画像データを取得する。この一枚目の画像は「テンプレートＢ」の例えば左半部の領域に用いられる。その後、ステップＳ２５の処理に進む。この処理は、上述の図４のステップＳ１３の処理と略同様である。
【００６２】
続いて、ステップＳ２５において、画像処理部１４は、上述のステップＳ２４にて取得した「オリジナル画像（一枚目）」とＲＯＭ２１から読み込み済みのテンプレート画像データとを受けて第１の「印刷予想画像」（図１２参照）を表わす画像データの作成をおこなう。これと同時に、生成した第１の印刷予想画像データに基づいて表示用のデータを生成し、これを表示制御部１７を介して出力する。これにより、表示部１８には、図１２に示すような第１の「印刷予想画像」が表示される。その後、ステップＳ２６の処理に進む。
【００６３】
なお、ここで作成された「印刷予想画像」データは、バッファー用ＤＲＡＭ１６に一時的に記憶される。
【００６４】
また、ここで作成される第１の「印刷予想画像」は「オリジナル画像（一枚目）」の一部の領域を「テンプレートＢ」画像の左半部に取り込んだのみの形態となっている。この処理は、上述の図４のステップＳ１４の処理に相当し、略同様の処理である。
【００６５】
ステップＳ２６において、カメラ１のＣＰＵ１０は、操作部２０のうちＯＫボタン４４からの指示信号が所定時間内に生じているか否かの確認をおこなう。
【００６６】
ここで、カメラ１のＣＰＵ１０によりＯＫボタン４４からの指示信号が確認されると、これを受けて同ＣＰＵ１０は、表示部１８にて表示中の第１の「印刷予想画像」（図１２参照）についての画像データと、「オリジナル画像（一枚目）」のデータをバッファ用ＤＲＡＭ１６に一時的に記憶する。その後、ステップＳ２７の処理に進む。
【００６７】
一方、ステップＳ２６において、カメラ１のＣＰＵ１０によってＯＫボタン４４からの指示信号が確認されない状態のまま所定時間経過した場合には、上述のステップＳ２２の処理に戻る。そして、ＣＰＵ１０は以降の処理を繰り返す。この処理は、上述の図４のステップＳ１５の処理に相当し、略同様の処理である。
【００６８】
次のステップＳ２７〜ステップＳ３１の各処理は、二枚目の「オリジナル画像」の撮影による取得処理と、この「オリジナル画像（二枚目）」に基づいて一部の領域を「テンプレートＢ」画像の右半部に取り込んだのみの形態の第２の「印刷予想画像」データを作成し、これを表示部１８に表示して（図１３参照）、使用者に確認を求めるまでの処理である。つまり、上述のステップＳ２２〜ステップＳ２６の各処理と略同様の処理が実行される。したがって、ステップＳ２７〜ステップＳ３１の処理についての詳細な説明は省略する。
【００６９】
ステップＳ３１において、ＣＰＵ１０によりＯＫボタン４４からの指示信号が確認されて、表示部１８に表示中の第２の「印刷予想画像」（図１３参照）の画像データと「オリジナル画像（二枚目）」のデータがバッファ用ＤＲＡＭ１６に一時的に記憶されると、その後、ステップＳ３２の処理に進む。
【００７０】
ステップＳ３２において、画像処理部１４は、上述のステップＳ２４及びステップＳ２９にて取得した二枚の「オリジナル画像」と、上述のステップＳ２６及びステップＳ３１にてバッファ用ＤＲＡＭ１６に一時的に記憶した各データ、すなわち第１の「印刷予想画像」（図１２参照）の画像データ及び第２の「印刷予想画像」（図１３参照）の画像データと、ＲＯＭ２１から読み込み済みのテンプレート画像データ（テキスト情報）とを受けて「印刷最終予想画像」を表わす画像データの作成をおこなう。これと同時に、生成した印刷最終予想画像データに基づいて表示用のデータを生成し、これを表示制御部１７を介して出力する。これにより、表示部１８には、図１４に示すような「印刷最終予想画像」が表示される。そして、一連の処理を終了する（リターン）。
【００７１】
次に、図３の「メディア印刷モード」における「保存記録」処理（ステップＳ７）の流れを、図６のフローチャートによって以下に説明する。
【００７２】
この「保存記録」処理は、上述の図４及び図５の処理によってバッファ用ＤＲＡＭ１６に一時的に記憶されている各種のデータ、例えば表示中のテンプレート画像に関する情報や撮影画像（「オリジナル画像」）データ等を記録媒体としての画像メモリ１９に対して記録する処理である。この場合において、ＣＰＵ１０は、表示中のテンプレート画像に関する情報を撮影画像（「オリジナル画像」）に対応付けて当該撮影画像と共に画像メモリ１９（記録媒体）に記録させる記録部としての役目をしている。
【００７３】
なお、本実施形態のカメラ１におけるＣＰＵ１０により実行される「保存記録」処理によって記録がなされる際の保存形態（記録モード）としては三種の形態がある。すなわち、
「第１記録モード」は、通常撮影による「オリジナル画像」データとテンプレート情報とを記録媒体（画像メモリ１９）に記録する保存形態である。ここで、テンプレート情報とは、テンプレートの種類、例えば「テンプレートＡ」や「テンプレートＢ」の画像データ等と、これに付随する各種の情報であって、例えば画面上におけるテンプレートのサイズや位置に関する情報等、「オリジナル画像」のどの領域を取り込むかの範囲指定情報等である。
【００７４】
この「第１記録モード」にて画像データ等が画像メモリ１９に記録保存がなされた場合の保存データに基づいてプリント動作が実行される場合のデータ伝送は次のようになる。
【００７５】
まず、カメラ１とプリンタ装置３１とを直接接続してプリント動作をおこなうダイレクトプリント時には、画像メモリ１９に記録済みの「オリジナル画像」データとテンプレート情報等（以下、画像データ等という）がカメラ１のＣＰＵ１０によって画像処理部１４へと読み込まれる。画像処理部１４は、読み込んだ画像データ等に基づいて図９や図１４で示すような印刷用画像を表わす印刷用画像データを作成する。そして、この印刷用画像データはプリンタ装置３１へと直接伝送ケーブルを介して伝送される。これを受けてプリンタ装置３１は所定のプリント動作を実行する。
【００７６】
一方、コンピュータ（ＰＣ）３２を介して接続されるプリンタ装置３３を用いてプリント動作をおこなう場合には、コンピュータ（ＰＣ）３２に導入（インストール）された専用のアプリケーションソフトウエアによる制御に基づき画像メモリ１９に記録済みの画像データ等がカメラ１側から伝送ケーブルを介してコンピュータ（ＰＣ）３２へと伝送される。これを受けて、コンピュータ（ＰＣ）３２は、当該アプリケーションソフトウエアの作用により、カメラ１側の画像処理部１４と同様のデータ処理を実行して印刷用画像データを作成する。そして、この印刷用画像データは、伝送ケーブルを介してプリンタ装置３３へと伝送される。これを受けてプリンタ装置３３は所定のプリント動作を実行する。
【００７７】
「第２記録モード」は、通常撮影による「オリジナル画像」データとテンプレート情報に基づいてカメラ１にて作成済みの「印刷予想画像」データとを記録媒体（画像メモリ１９）に記録する保存形態である。ここで、「印刷予想画像」データは、バッファ用ＤＲＡＭ１６に一時的に記憶されているデータであって、「オリジナル画像」からテンプレート情報に応じて非印刷領域を削除して印刷すべき領域のみからなる画像データである。
【００７８】
この「第２記録モード」にて画像データ等が画像メモリ１９に記録保存がなされた場合の保存データに基づいてプリント動作が実行される場合においては、ダイレクトプリント時のプリント動作の場合も、コンピュータ３２経由によるプリント動作の場合も、いずれの場合にも、カメラ１で作成され画像メモリ１９に記録済みの印刷用画像データが直接用いられる。
【００７９】
「第３記録モード」は、「オリジナル画像」は記録せずに廃棄してカメラ１にて作成済みの「印刷予想画像」データのみを記録媒体（画像メモリ１９）に記録する保存形態である。
【００８０】
なお、いずれの保存形態で保存するかの選択は、撮影動作に先立っておこなう「メディア印刷モード」の設定時に、「記録モード」の設定として予め使用者により任意に設定し得るものであるが、例えば予め使用者により「記録モード」の設定がおこなわれなかった場合にも、三種の記録モードのうちの一つの記録モードが既定の記録モードとして自動的に設定されるようにしておけば至便である。この場合においては、「第１記録モード」による記録形態が記録容量が最も少ない形態であることから望ましいといえる。
【００８１】
図６の「保存記録」処理シーケンについて、以下に説明する。
【００８２】
まず、ステップＳ４１において、カメラ１のＣＰＵ１０は、「記録モード」の設定が「第１記録モード」に設定されているか否かの確認をおこなう。ここで、「第１記録モード」に設定されていることが確認された場合には、次のステップＳ４３の処理に進む。
【００８３】
そして、ステップＳ４３において、「第１記録モード」の保存形態での記録動作が実行された後、元のシーケンスに戻る（リターン）。
【００８４】
一方、上述のステップＳ４１において、「第１記録モード」以外に設定されている場合には、次のステップＳ４２の処理に進む。
【００８５】
ステップＳ４２において、カメラ１のＣＰＵ１０は、「記録モード」の設定が「第２記録モード」に設定されているか否かの確認をおこなう。ここで、「第２記録モード」に設定されていることが確認された場合には、次のステップＳ４４の処理に進む。
【００８６】
そして、ステップＳ４４において、「第２記録モード」の保存形態での記録動作が実行された後、元のシーケンスに戻る（リターン）。
【００８７】
一方、上述のステップＳ４１において、設定が「第２記録モード」ではない場合には、「第３記録モード」に設定されているものと判断されて、次のステップＳ４５の処理に進む。
【００８８】
そして、ステップＳ４５において、「第３記録モード」の保存形態での記録動作が実行された後、元のシーケンスに戻る（リターン）。
【００８９】
上述のようにして記録媒体（画像メモリ１９）に記録済みの画像データ等に基づいてプリント動作をおこなう際の作用のうちカメラ１側で実行される「ダイレクトプリント」処理のシーケンスを以下に説明する。
【００９０】
まず、ステップＳ５１において、使用者は、カメラ１の操作部２０のうち所定の操作部材を操作することによりＣＰＵ１０による「印刷画像指定」処理の実行を開始させる。その後、ステップＳ５２の処理に進む。
【００９１】
ここで実行される「印刷画像指定」処理は、次のような処理である。すなわち、カメラ１が再生モードによって起動している状態で、使用者は、操作部２０のうちの所定の操作部材による所定の操作をおこなって記録媒体（画像メモリ１９）に記録済みの画像のうちから印刷を所望する画像の指定をおこなう。これを受けてカメラ１のＣＰＵ１０は、記録媒体（画像メモリ１９）のうちの指定された画像データを読み込む準備をおこなう。
【００９２】
次に、ステップＳ５２において、使用者は、所定の操作をおこなって印刷動作モードの設定を「メディア印刷モード」に選択指定する。これにより、ＣＰＵ１０は、印刷動作モードを「メディア印刷モード」に設定する。そして、次のステップＳ５３の処理に進む。
【００９３】
ステップＳ５３において、使用者は、印刷動作を開始させべく、操作部２０のうちの所定の操作部材による所定の操作をおこなう。これを受けてＣＰＵ１０は、印刷処理の実行を開始するためのプリント指示信号を発生させる。その後、ステップＳ５４の処理に進む。
【００９４】
ステップＳ５４において、プリント指示信号を受けて、カメラ１のＣＰＵ１０は「データ出力」処理を実行する。この「データ出力」処理は、カメラ１の記録媒体（画像メモリ１９）から指定された画像データ等を読み込んで、画像処理部１４において所定の画像信号処理（例えば伸張処理や場合によって「印刷用の画像データ」の作成処理等）が実行される。こうして作成された「印刷用の画像データ」を、ＣＰＵ１０は、直接プリンタ装置３１へと出力する。そして、カメラ１側における一連の処理が終了する（エンド）。
【００９５】
以上説明したように上記一実施形態によれば、カメラ１を用いて撮影をおこなう際には、カメラ１の表示部１８に表示される撮影画像（「オリジナル画像」）に、印刷用画像のための領域を示すテンプレート画像を重畳させて表示することで、容易にかつ確実に「オリジナル画像」から「印刷用画像」を作成することができる。
【００９６】
つまり、印刷を所望する印刷媒体が例えばＣＤ媒体のラベル面等のような特殊形状であっても、それに対応するテンプレート画像を用いることで、撮影時に印刷範囲の確認をおこなうことができる。したがって、印刷媒体の形状に最適な「印刷用画像」を容易に作成することができる。
【００９７】
また、テンプレート画像の種類を各種用意しておくことで、例えばサイズ違いのＣＤ媒体（１２ｃｍＣＤ媒体と８ｃｍＣＤ媒体等がある）等や、同一サイズのＣＤ媒体等であっても、そのラベル面の印刷可能領域の違い等に対しても容易に対応することができる。
【００９８】
カメラ１によって取得される撮影画像のみに限らず、例えばメッセージ文等の附加画像を用意しておけば、これを撮影画像に重畳させて印刷する合成画像をも容易に作成することができる。
【００９９】
そして、作成された「印刷用画像」データは記録媒体（画像メモリ１９）に確実に記録するようにしている。
【０１００】
このときの保存記録処理においては、その記録形態を複数用意し、任意に所望の記録形態を選択設定することができるようにしたので、画像メモリ１９の記録可能容量を考慮したり、使用者の用途に応じて、記録形態を設定することができる。この場合において、例えば、撮影時の「オリジナル画像」データを同時に記録することができるようなモードを設けたので、通常撮影による「オリジナル画像」をも保存を所望する場合（第１，第２記録モード）、「印刷用画像」の撮影とは別に通常撮影による「オリジナル画像」の撮影動作をおこなう必要がない。一方、「印刷用画像」のみを所望するときには、記録時に「オリジナル画像」を保存記録しない設定（第３記録モード）とすることで、記録媒体（画像メモリ１９）の記録可能容量を圧迫することがなく、より多くの撮影をおこなうことができる。
【０１０１】
こうして作成し記録された「印刷用画像」データは、カメラ１に対して直接接続されるプリンタ装置３１や、コンピュータ３２を介して接続されるプリンタ装置３３へと伝送することで、容易に所望の印刷物を作成することができる。
【０１０２】
上述の一実施形態のカメラ１においては、図１０に示す印刷結果を取得するためにＣＤ媒体の形状に合わせた「テンプレートＡ」や、図１５に示す印刷結果を取得するためにＣＤ媒体の形状に合わせた、かつ円形を二分割した左半部と右半部とのそれぞれに異なる画像（当然同一画像でも可）を取り込み得るようにした「テンプレートＢ」を例示している。しかし、テンプレートの種類は、これに限らず様々な形態が考えられる。
【０１０３】
例えば図１６に示す形態は、円形を二分割した上で、その上下の所定領域を削除した残りの領域ａ，ｂのそれぞれに異なる画像（当然同一画像でも可）を取り込むようにする例である。
【０１０４】
また、図１７に示す形態は、円形を三分割してそれぞれの領域に異なる三つの画像（三つの画像が同一画像でも当然可）を取り込むようにする例である。
【０１０５】
また、図１６及び図１７の何れの形態でも、メッセージ文や日時等の附加画像を重畳させて印刷することは容易である。
【０１０６】
一方、上述の実施形態では、ＣＤ媒体等のラベル面への印刷を考慮したテンプレート画像について種々言及しているが、これとは別の印刷形態に対応するテンプレートについても種々考えられる。
【０１０７】
例えば、図１８は、カード状媒体を印刷媒体とする際のテンプレートの一例を示す図である。また、図１９は、図１８のカード対応テンプレートを用いた場合の印刷結果を示す図である。
【０１０８】
図１８のテンプレートは、カード状媒体の形状に対応する四角形状の範囲内に円形状の三つの領域ａ，ｂ，ｃが規定されている。これら三つの領域ａ，ｂ，ｃのそれぞれには、図１９に示すように異なる画像（当然同一画像でも可）を取り込むようにする。
【０１０９】
そして、これを用いた場合には、印刷動作の結果、例えば図１９に示すように既定のメッセージ文や日時等の附加画像が所定の位置に自動的に合成印刷されるようになっている。
【０１１０】
また、図２０は、カード状媒体を印刷媒体とする際のテンプレートの他の例を示す図である。また、図２１は、図２０のカード対応テンプレートを用いた場合の印刷予想画像を示す図である。
【０１１１】
図２０のテンプレートは、カード状媒体の形状に対応する四角形状を二分割して二つの領域ａ，ｂを規定している。これら二つの領域ａ，ｂのそれぞれには、図２１に示すように異なる画像（当然同一画像でも可）を取り込むようにする。
【０１１２】
そして、これを用いた場合には、例えば図２１に示す「印刷予想画像」のように既定のメッセージ文や日時等の附加画像が所定の位置に自動的に合成されるようになっている。
【０１１３】
また、図２２は、例えばＭＤ媒体のケースのラベル面を印刷媒体とする際のテンプレートの一例を示す図である。また、図２３は、図２２のテンプレートを用いた場合の印刷予想画像を示す図である。
【０１１４】
図２２のテンプレートは、例えばＭＤ媒体のケースのラベル面に対応する四角形状の一部の領域（点線で示す範囲内）をモニター画像上で規定するものである。この状態で撮影をおこなうと、図２３に示すような印刷予想画像が得られる。
【０１１５】
なお、上記実施形態はプログラムにしたがったＣＰＵ１０の制御処理によって実現されるが、つまりこれは上記プログラム自体が上述した実施形態の機能を実現することになり、このプログラム自体が本発明を構成する。
【０１１６】
そして、これらのプログラムはロム（ＲＯＭ）２１以外の記録媒体の形式でもよく、カメラに着脱自在な記録媒体に格納されていてもよい。この場合における記録媒体としては、フロッピー（登録商標）デイスクや磁気テープ媒体等の磁気記録媒体，ＣＤやＤＶＤ等の光学記録媒体，ＭＤやＭＯ等の光磁気記録媒体，ＩＣカード等の半導体メモリー媒体等を適用できる。そして、このプログラムを記憶した記録媒体自体も本発明を構成する。
【０１１７】
また、専用通信ネットワークやインターネット等に接続されたサーバーシステムに設けられるハードディスク媒体またはラム（ＲＡＭ）等の半導体メモリー等の格納装置を記録媒体として使用し、通信網を介してプログラムをカメラに提供するようにしてもよい。
【０１１８】
あるいは、他のアプリケーションソフトウエア等と協働して、上述の実施形態の機能が実現される場合にも、かかるプログラムが本発明の実施の形態に含まれることは言うまでもない。
【０１１９】
また、本実施形態における表示制御部は、プログラムをＣＰＵ上で実行することで、上述の機能を実現するものとしているが、これに限られることはない。例えば表示制御部の一部または全部をハードウエアによって同様の機能を実現するようにしてもよい。
【０１２０】
上記実施形態では、単体としてのカメラとして説明しているが、これに限らず、例えばカメラ機能付きの各種の電子機器（携帯電話等）におけるカメラ部に適用することもできる。
【０１２１】
本発明は、上述の実施形態をそのままに限定されるものではなく、実施段階では、その要旨を逸脱しない範囲で構成要素を変形して具体化できる。
【図面の簡単な説明】
【０１２２】
【図１】本発明の一実施形態のカメラの内部構成を示すブロック構成図。
【図２】図１のカメラの背面側の外観を示す背面図。
【図３】図１のカメラにおいて「メディア印刷モード」で撮影動作をおこなう際の処理シーケンスを示すフローチャート。
【図４】図３の「メディア印刷モード」における「テンプレートＡ」処理のサブルーチンを示すフローチャート。
【図５】図３の「メディア印刷モード」における「テンプレートＢ」処理のサブルーチンを示すフローチャート。
【図６】図３の「メディア印刷モード」における「保存記録」処理のサブルーチンを示すフローチャート。
【図７】図１のカメラの「メディア印刷モード」で得られた画像データに基づいて「ダイレクトプリントモード」で印刷動作をおこなう際の処理シーケンスを示すフローチャート。
【図８】図１のカメラにおいて撮影動作中の表示部に「テンプレートＡ」画像を重畳表示した際の表示状態を示す図。
【図９】図１のカメラにおいて「テンプレートＡ」画像を用いて撮影動作をおこなった際に得られる「印刷予想画像」が表示部に表示されている状態を示す図。
【図１０】図９の「印刷予想画像」データに基づいてＣＤ媒体のラベル面に対して印刷動作を実行した印刷結果を示す図。
【図１１】図１のカメラにおいて撮影動作中の表示部に「テンプレートＢ」画像を重畳表示した際の表示状態を示す図。
【図１２】図１のカメラにおいて「テンプレートＢ」画像を用いて一枚目の撮影動作をおこなった際に得られる第１の「印刷予想画像」が表示部に表示されている状態を示す図。
【図１３】図１のカメラにおいて「テンプレートＢ」画像を用いて二枚目の撮影動作をおこなった際に得られる第２の「印刷予想画像」が表示部に表示されている状態を示す図。
【図１４】図１のカメラにおいて「テンプレートＢ」画像を用いて撮影動作をおこなった際に得られる「印刷最終予想画像」が表示部に表示されている状態を示す図。
【図１５】図１４の「印刷最終予想画像」データに基づいてＣＤ媒体のラベル面に対して印刷動作を実行した印刷結果を示す図。
【図１６】図１のカメラにおいて「メディア印刷モード」をおこなう際に選択し得るテンプレートの他の形態の例を示す図。
【図１７】図１のカメラにおいて「メディア印刷モード」をおこなう際に選択し得るテンプレートの別の形態の例を示す図。
【図１８】図１のカメラにおいて「メディア印刷モード」をおこなう際に選択し得るテンプレートの形態の例示であって、カード状媒体を印刷媒体とする際のテンプレートの一例を示す図。
【図１９】図１８のカード対応テンプレートを用いた場合の印刷結果を示す図。
【図２０】図１のカメラにおいて「メディア印刷モード」をおこなう際に選択し得るテンプレートの形態の例示であって、カード状媒体を印刷媒体とする際のテンプレートの他の一例を示す図。
【図２１】図２０のカード対応テンプレートを用いた場合の「印刷予想画像」を示す図。
【図２２】図１のカメラにおいて「メディア印刷モード」をおこなう際に選択し得るテンプレートの形態の例示であって、ＭＤ媒体のケースラベル面を印刷媒体とする際のテンプレートの一例を示す図。
【図２３】図２０のテンプレートを用いた場合の「印刷予想画像」を示す図。
【図２４】従来のカメラによって撮影された画像に基づいてＣＤ媒体等に印刷するのに際し、その印刷範囲を表わすテンプレート画像の例を示す図。
【図２５】図２４のテンプレート画像によって指定された印刷範囲を印刷したＣＤ媒体の印刷面の例を示す図。
【符号の説明】
【０１２３】
１……カメラ
１０……ＣＰＵ
１１……撮影レンズ
１２……撮像素子
１３……撮像部
１４……画像処理部
１５……インターフェース
１６……バッファー用ＤＲＡＭ
１７……表示制御部
１８……表示部
１９……画像メモリ
２０……操作部
２１……ＲＯＭ
３１，３３……プリンタ装置
３２……コンピュータ
４１……シャッターレリースボタン
４２……ＴＷボタン
４３……ＸＹ操作ボタン
４３ａ……上向ボタン
４３ｂ……下向ボタン
４３ｃ……左向ボタン
４３ｄ……右向ボタン
４４……ＯＫボタン
【図１】
2006345322.tif 000003
【図２】
2006345322.tif 000004
【図３】
2006345322.tif 000005
【図４】
2006345322.tif 000006
【図５】
2006345322.tif 000007
【図６】
2006345322.tif 000008
【図７】
2006345322.tif 000009
【図８】
2006345322.tif 000010
【図９】
2006345322.tif 000011
【図１０】
2006345322.tif 000012
【図１１】
2006345322.tif 000013
【図１２】
2006345322.tif 000014
【図１３】
2006345322.tif 000015
【図１４】
2006345322.tif 000016
【図１５】
2006345322.tif 000017
【図１６】
2006345322.tif 000018
【図１７】
2006345322.tif 000019
【図１８】
2006345322.tif 000020
【図１９】
2006345322.tif 000021
【図２０】
2006345322.tif 000022
【図２１】
2006345322.tif 000023
【図２２】
2006345322.tif 000024
【図２３】
2006345322.tif 000025
【図２４】
2006345322.tif 000026
【図２５】
2006345322.tif 000027